【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
ターゲットのマイクロ波画像を捕捉するためにマイクロ波画像形成システムに使用する走査パネルであって、
マイクロ波照明の送信ビームを前記ターゲットの方に導くように、それぞれの位相遅れをそれぞれプログラム可能であり、受信ビームで前記ターゲットから反射された反射マイクロ波照明をそれぞれ受け取ることができる複数のアンテナ素子を備え、
前記複数のアンテナ素子が、マイクロ波照明の前記送信ビームを送信ビームパターンで導くように配列されたアンテナ素子の第１のアレイと、前記送信ビームパターンとは相補的な受信ビームパターンで前記受信ビームを受け取るように配列されたアンテナ素子の第２のアレイとを具備し、
前記ターゲットの前記マイクロ波画像が、前記送信ビームと前記受信ビームとの交差部位に形成され、前記交差部位が、前記送信ビームと前記受信ビームとの体積積分クロス乗積である、走査パネル。
【請求項２】
前記複数のアンテナ素子のそれぞれが、反射アンテナ素子である、請求項１に記載の走査パネル。
【請求項３】
前記第１のアレイの前記反射アンテナ素子のそれぞれが、マイクロ波源からマイクロ波照明を受け取り、前記それぞれのプログラムされた位相遅れに基づいて前記マイクロ波照明を反射して、マイクロ波照明の前記送信ビームを前記ターゲットの方に導くように構成された、請求項２に記載の走査パネル。
【請求項４】
前記第２のアレイの前記反射アンテナ素子のそれぞれが、前記受信ビームを受け取り、前記受信ビームを、前記第２のアレイの前記反射アンテナ素子と関連付けられた追加のそれぞれの位相遅れに基づいてマイクロ波受信器の方に反射するように構成された、請求項３に記載の走査パネル。
【請求項５】
前記複数のアンテナ素子が、２位相シフトアンテナ素子、連続位相シフトアンテナ素子、または可変コンデンサを実装したパッチアンテナ素子である、請求項１に記載の走査パネル。
【請求項６】
前記２位相シフトアンテナ素子が、電気信号が前記パッチアンテナと通じる非理想的スイッチデバイスを含み、前記パッチアンテナが前記非理想的スイッチデバイスのインピーダンスの関数として構成される、請求項５に記載の走査パネル。
【請求項７】
前記複数のアンテナ素子のそれぞれが、能動アンテナ素子である、請求項１に記載の走査パネル。
【請求項８】
前記送信ビームパターンと前記受信ビームパターンが、直交楕円ビームパターンであり、前記第１のアレイと前記第２のアレイが相補的アレイである、請求項１に記載の走査パネル。
【請求項９】
前記第１のアレイと前記第２のアレイが、前記第１のアレイおよび前記第２のアレイのそれぞれの中間点近くで交差する、請求項８に記載の走査パネル。
【請求項１０】
前記送信ビームパターンおよび前記受信ビームパターンの一方が、粗いスポットのシングルローブビームパターンであり、その他の一方が、細かいスポットのマルチローブパターンである、請求項１に記載の走査パネル。
【請求項１１】
前記第１のアレイが、前記第２のアレイの面積よりも小さい面積を有し、前記第１のアレイが、前記第２のアレイの密度よりも大きい密度を有する、請求項１０に記載の走査パネル。
【請求項１２】
前記送信ビームパターンと前記受信ビームパターンとが、互いに４５度回転された十字形ビームパターンである、請求項１に記載の走査パネル。
【請求項１３】
マイクロ波画像形成システムであって、
マイクロ波照明を提供するマイクロ波源と、
マイクロ波照明の送信ビームをターゲットの方に導くように、それぞれの位相遅れをそれぞれプログラム可能であり、受信ビームで前記ターゲットから反射された反射マイクロ波照明をそれぞれ受け取ることができる複数のアンテナ素子であって、前記送信ビームを送信ビームパターンで導くように配列されたアンテナ素子の第１のアレイと、前記送信ビームパターンとは相補的な受信ビームパターンで前記受信ビームを受け取るように配列されたアンテナ素子の第２のアレイとを具備する複数のアンテナ素子と、
前記受信ビームで反射されたマイクロ波照明の強度を測定し、前記ターゲットの前記マイクロ波画像を、前記送信ビームと前記受信ビームとの交差部位に形成するプロセッサであって、前記交差部位が、前記送信ビームと前記受信ビームとの体積積分クロス乗積である、プロセッサ
を備えるマイクロ波画像形成システム。
【請求項１４】
前記送信ビームパターンと前記受信ビームパターンが、直交楕円ビームパターンであり、前記第１のアレイと前記第２のアレイが相補的アレイである、請求項１３に記載のマイクロ波画像形成システム。
【請求項１５】
前記第１のアレイと前記第２のアレイが、前記第１のアレイおよび前記第２のアレイのそれぞれの中間点近くで交差する、請求項１４に記載のマイクロ波画像形成システム。
【請求項１６】
前記第２のアレイから反射された前記受信ビームを受け取ることができ、前記マイクロ波源とは異なる開口部を有するマイクロ波受信機を、さらに備える請求項１５に記載のマイクロ波画像形成システム。
【請求項１７】
前記送信ビームパターンおよび前記受信ビームパターンの一方が、粗いスポットのシングルローブビームパターンであり、その他の一方が、細かいスポットのマルチローブパターンである、請求項１３に記載の走査パネル。
【請求項１８】
前記第２のアレイから反射された前記受信ビームを受け取ることができるマイクロ波受信機をさらに備え、前記マイクロ波源およびマイクロ波受信機の一方を、さらに備える請求項１７に記載のマイクロ波画像形成システム。
【請求項１９】
ターゲットのマイクロ波画像を捕捉する方法であって、
それぞれの位相遅れをそれぞれプログラム可能な複数のアンテナ素子を含む走査パネルを提供するステップと、
前記アンテナ素子のそれぞれの前記位相遅れに基づいて、前記送信ビームパターンのマイクロ波照明の送信ビームを前記複数のアンテナ素子の第１のアレイから前記ターゲットの方に導くステップと、
送信ビームパターンと相補的な受信ビームパターンで前記ターゲットから反射された反射マイクロ波照明の受信ビームを、前記複数のアンテナ素子の第２のアレイにて受け取るステップと、
前記送信ビームと前記受信ビームの交差部位で前記ターゲットの前記マイクロ波画像を捕捉し、前記交差部位が、前記送信ビームと前記受信ビームとの体積積分クロス乗積である、ステップとを含む方法。
【請求項２０】
前記導くステップが、前記マイクロ波源から反射されたマイクロ波照明を前記第１のアレイから前記ターゲットの方へ導くステップを、さらに含む請求項１９に記載の方法。
【請求項２１】
前記受け取るステップが、前記第２のアレイから反射されたマイクロ波照明をマイクロ波受信機へ反射するステップを、さらに含む請求項１９に記載の方法。
【請求項２２】
ターゲットのマイクロ波画像を捕捉するためにマイクロ波画像形成システムに使用する走査パネルであって、
マイクロ波照明の送信ビームを前記ターゲットの方に導くように、それぞれの位相遅れをそれぞれプログラム可能であり、受信ビームで前記ターゲットから反射された反射マイクロ波照明をそれぞれ受け取ることができる複数のアンテナ素子を備え、
前記複数のアンテナ素子が、マイクロ波照明の前記送信ビームを送信ビームパターンで導くように配列されたアンテナ素子の第１のアレイと、前記送信ビームパターンとは相補的な受信ビームパターンで前記受信ビームを受け取るように配列されたアンテナ素子の第２のアレイとを具備し、
前記ターゲットの前記マイクロ波画像が、前記送信ビームと前記受信ビームとの交差部位に形成され、
前記交差部位が、前記送信ビームと前記受信ビームとの体積積分クロス乗積であり、
前記第１および第２のアレイの一方が、他方の面積よりも小さい面積を有し、他方の密度よりも大きい密度を有する、走査パネル。